(57)【要約】【課題】  ユーザの学年に対応するプリンタドライバのユーザインタフェース画面を表示する情報処理装置および表示制御装置および表示制御プログラムを提供する。【解決手段】  操作者の能力段階に対応した複数の操作画面を記憶部５に記憶し、操作者の能力段階の選択画面を表示部２に表示し、操作者の能力段階を操作部３より受け付け、受け付けた能力段階に対応する操作画面を記憶部５からＲＡＭ６に登録し、その操作画面を表示部２に表示するように、ＵＩ表示装置１を構成する。【選択図】  図１
2008276601.tif 000002
【特許請求の範囲】
【請求項１】
操作者の各能力段階に対応した複数の操作画面を記憶する記憶手段と、
前記操作者の能力段階の選択画面を表示器に表示する第１の表示制御手段と、
前記第１の表示制御手段により表示された前記選択画面上で選択された操作者の能力段階に対応する操作画面を前記記憶手段に記憶した複数の操作画面の中から選択する選択手段と、
前記選択手段により選択された操作画面を登録する登録手段と、
前記登録手段により登録された操作画面を前記表示器に表示する第２の表示制御手段と
を具備する情報処理装置。
【請求項２】
前記第１の表示制御手段は、
前記選択画面の表示指示画面を前記表示器に表示する表示指示画面表示手段と、
前記表示指示画面表示手段により表示された前記表示指示画面上での指示に基づき前記選択画面を表示する選択画面表示手段と
を具備する請求項１に記載の情報処理装置。
【請求項３】
操作者の各能力段階に対応した複数の操作画面を記憶する記憶手段と、
前記操作者の能力段階の選択画面を表示器に表示する第１の表示制御手段と、
前記第１の表示制御手段により表示された前記選択画面上で選択された操作者の能力段階に対応する操作画面を前記記憶手段に記憶した複数の操作画面の中から選択する選択手段と、
前記選択手段により選択された操作画面を登録する登録手段と、
前記登録手段により登録された操作画面を前記表示器に表示する第２の表示制御手段と
を具備する表示制御装置。
【請求項４】
コンピュータを、
操作者の各能力段階に対応した複数の操作画面を記憶する記憶手段、
前記操作者の能力段階の選択画面を表示器に表示する第１の表示制御手段、
前記第１の表示制御手段により表示された前記選択画面上で選択された操作者の能力段階に対応する操作画面を前記記憶手段に記憶した複数の操作画面の中から選択する選択手段、
前記選択手段により選択された操作画面を登録する登録手段、
前記登録手段により登録された操作画面を前記表示器に表示する第２の表示制御手段
として機能させる表示制御プログラム。
【発明の詳細な説明】
【技術分野】
【０００１】
本発明は、情報処理装置および表示制御装置および表示制御プログラムに関する。
【背景技術】
【０００２】
近年、ＩＴ(Information Technology)機器の使用が若年化している傾向にあり、小学生などでもパソコンを用いたＩＴ機器の授業が始まっている。
【０００３】
中でもプリンタの印刷に関する授業では、プリンタドライバのユーザインタフェース（以降ＵＩと記載する）から設定できる各機能の内容、またその機能の操作手順等を指導者が口頭で説明したり、マニュアル・ヘルプを随時参照するなどして利用するのが一般的である。
【０００４】
分かりやすいＵＩに関する技術としては、特許文献１に、ＵＩをカスタマイズすること利用者にとって使いやすいＵＩを提供する技術が提案されている。
【特許文献１】特開２００４−１９２６４１号公報
【発明の開示】
【発明が解決しようとする課題】
【０００５】
しかし、特許文献１の技術では、ＵＩをカスタマイズすることができるが、小学生などカスタマイズする行為そのものを理解できない利用者にとっては根本的な解決には至っていない。
【０００６】
そこで利用者が利用者のレベル（ＩＴ能力）を事前に選択することで、選択したレベルに対応する「必要最小限な機能」且つ「利用者に応じた適切な用語・漢字のみで表記」されたＵＩ画面を提供することが望まれる。
【０００７】
通常、プリンタドライバのＵＩは、図９に示すように、オペレーティングシステム（以降ＯＳと記載する）の配下であらかじめ用意したタブを事前に登録することで表示される方式であるから、ユーザがレベルを選択した後にそのレベルに対応するタブを表示させてＵＩ画面を構成することはできなかった。
【０００８】
そこで、この発明は、ウィザード画面よりユーザのレベルを取得した後にＵＩを構成するタブ画面をＯＳに登録することで、ユーザの学年に対応するＵＩ画面を表示する情報処理装置および表示制御装置および表示制御プログラムを提供することを目的とする。
【課題を解決するための手段】
【０００９】
上記目的を達成するために、請求項１の発明の情報処理装置は、操作者の各能力段階に対応した複数の操作画面を記憶する記憶手段と、前記操作者の能力段階の選択画面を表示器に表示する第１の表示制御手段と、前記第１の表示制御手段により表示された前記選択画面上で選択された操作者の能力段階に対応する操作画面を前記記憶手段に記憶した複数の操作画面の中から選択する選択手段と、前記選択手段により選択された操作画面を登録する登録手段と、前記登録手段により登録された操作画面を前記表示器に表示する第２の表示制御手段とを具備するように構成される。
【００１０】
また、請求項２の発明は、請求項１の発明において、前記第１の表示制御手段は、前記選択画面の表示指示画面を前記表示器に表示する表示指示画面表示手段と、前記表示指示画面表示手段により表示された前記表示指示画面上での指示に基づき前記選択画面を表示する選択画面表示手段とを具備するように構成される。
【００１１】
また、請求項３の発明の表示制御装置は、操作者の各能力段階に対応した複数の操作画面を記憶する記憶手段と、前記操作者の能力段階の選択画面を表示器に表示する第１の表示制御手段と、前記第１の表示制御手段により表示された前記選択画面上で選択された操作者の能力段階に対応する操作画面を前記記憶手段に記憶した複数の操作画面の中から選択する選択手段と、前記選択手段により選択された操作画面を登録する登録手段と、前記登録手段により登録された操作画面を前記表示器に表示する第２の表示制御手段とを具備するように構成される。
【００１２】
また、請求項４の発明の表示制御プログラムは、コンピュータを、操作者の各能力段階に対応した複数の操作画面を記憶する記憶手段、前記操作者の能力段階の選択画面を表示器に表示する第１の表示制御手段、前記第１の表示制御手段により表示された前記選択画面上で選択された操作者の能力段階に対応する操作画面を前記記憶手段に記憶した複数の操作画面の中から選択する選択手段、前記選択手段により選択された操作画面を登録する登録手段、前記登録手段により登録された操作画面を前記表示器に表示する第２の表示制御手段として機能させるように構成される。
【発明の効果】
【００１３】
請求項１または請求項３または請求項４の発明によれば、操作者の能力段階に応じた操作画面を登録して表示させることができるという効果を奏する。
【００１４】
請求項２の発明によれば、表示指示画面での指示に基づいて、操作者の能力段階を受け付ける選択画面を表示して、その後、操作者の能力段階に応じた操作画面を登録して表示させることができるという効果を奏する。
【発明を実施するための最良の形態】
【００１５】
以下、本発明に係わる情報処理装置および表示制御装置および表示制御プログラムの実施例について添付図面を参照して詳細に説明する。
【００１６】
まず、本発明に係わるユーザインタフェース表示装置１の構成について図１を参照して説明する。
【００１７】
図１は、ＵＩ表示装置１の構成を示したブロック図である。
【００１８】
ＵＩ表示装置１は、表示部２、操作部３、制御部４、記憶部５、ＲＡＭ(Random Access Memory)６を備え、プリンタドライバのＵＩ表示プログラム１０がインストールされたパーソナルコンピュータなどの情報処理装置として構成される。  また、ＵＩ表示装置１は、画像形成装置の操作パネルにおけるユーザインタフェース表示制御装置としても適用可能である。
【００１９】
表示部２は、ディスプレイで構成され、ユーザにプリンタドライバのＵＩ画面等を表示する。
【００２０】
操作部３は、キーボードやマウスで構成され、ユーザのＩＴ能力の受け付けを行ったり、ユーザからのプリンタドライバの操作を受け付ける。
【００２１】
制御部４は、ＵＩ表示装置１の統括的な制御を行い、表示部２にＵＩ画面を表示する際の各種制御を行う。
【００２２】
記憶部５は、ハードディスクなどの補助記憶装置で構成され、プリンタドライバのＵＩ表示プログラム１０やＵＩ表示装置１のシステムデータ等を記憶する。
【００２３】
ＲＡＭ６は、主記憶装置で構成される。  そして、ＲＡＭ６上では、ＵＩ制御装置１のオペレーティングシステムが実行され、また、記憶部５に記憶されるプリンタドライバのＵＩ表示プログラム１０等が読み出されて実行される。
【００２４】
このように構成されるＵＩ表示装置１では、記憶部５にユーザのＩＴ能力に対応して、ユーザの各学年毎のＵＩ画面の構成要素であるタブ画面が記憶され、ユーザのＩＴ能力を尋ねる会話形式のウィザード画面を制御部４が表示部２に表示する。  そして、ユーザのＩＴ能力を操作部３で受け付け、受け付けたＩＴ能力に対応するＵＩ画面を構成するタブ画面が記憶部５から制御部４によってＲＡＭ６上のＯＳ（Operating System）に登録され、表示部２にユーザのＩＴ能力に対応したＵＩ画面が表示される。
【００２５】
ＲＡＭ６上では、ＵＩ表示装置１のＯＳが動作し、表示部２に表示されるＵＩ画面は、制御部４によってＯＳ上に登録されることによって、その後ＯＳの動作により表示部２への表示が行われる。
【００２６】
プリンタドライバのＵＩプログラム１０について図２を参照して説明する。
【００２７】
図２は、プリンタドライバのＵＩプログラム１０の構成について示した模式図である。
【００２８】
プリンタドライバのＵＩプログラム１０は、図２に示すように、ＵＩ表示モジュール１１、ウィザードモジュール１２、タブ選択モジュール１３、タブ記憶部１４、操作受付モジュール１５、ジョブ作成モジュール１６、通常ＵＩ表示モジュール１７、表示指示画面表示モジュール１８を備える。
【００２９】
ＵＩ表示モジュール１１は、表示部２にＵＩ画面を表示させる機能を有し、表示させるＵＩ画面をＲＡＭ６上に登録させて表示部２に表示させる。
【００３０】
ウィザードモジュール１２は、ユーザの情報を受信するためのウィザード画面を表示部２に表示させる機能を司る。  ウィザード画面は、対話形式でユーザのＩＴ能力の目安である学年を把握するために構成される。  ウィザード画面によって把握されたユーザの学年に応じて、表示部２に表示されるＵＩ画面を構成するタブ画面が選択される。
【００３１】
タブ選択モジュール１３は、ユーザのＩＴ能力に対応するＵＩ画面を表示部２に表示させる機能を司る。
【００３２】
タブ記憶部１４は、ＵＩ画面を構成するタブ画面を記憶する。タブ記憶部１４に記憶されるタブ画面は、ユーザのＩＴ能力毎に用意されており、ユーザのＩＴ能力に対応するＵＩ画面（お勧めＵＩ画面）の表示がなされるように構成される。  タブ記憶部１４は、記憶部５内で動作する。
【００３３】
操作受付モジュール１５は、ＵＩ画面よりユーザの操作を受け付ける。ウィザード画面より入力されるユーザのＩＴ能力を受け付けた操作受付モジュール１５は、タブ選択モジュール１３にユーザのＩＴ能力を送る。また、タブ選択モジュール１３によって表示されるユーザのＩＴ能力に対応するＵＩ画面より入力されるプリンタ設定は、操作受付モジュール１５によって受け付けられた後にジョブ作成モジュール１６に送られる。
【００３４】
ジョブ作成モジュール１６は、ＵＩ画面より操作受付モジュール１５が受け付けたプリンタ設定に基づいて印刷ジョブの作成を行う。
【００３５】
通常ＵＩ表示モジュール１７は、ユーザのＩＴ能力に対応するＵＩ画面（「お勧めＵＩ画面」）ではない通常のＵＩ画面である「通常ＵＩ画面」を表示するモジュールである。
【００３６】
表示指示画面表示モジュール１８は、ユーザに「通常ＵＩ画面」と「お勧めＵＩ画面」とのどちらかを選択させる表示指示画面８０を、表示部２に表示させるモジュールである。
【００３７】
プリンタドライバのＵＩ表示プログラム１０は、記憶部５内からＲＡＭ６上に読み込まれる場合には、タブ記憶部１４以外のモジュールの読み込みが行われる。
【００３８】
次に、表示部２にウィザード画面が表示される処理について図３を参照して説明を行う。
【００３９】
図３は、表示部２にプリンタドライバのウィザード画面が表示される様子について示した模式図である。
【００４０】
図３（ａ）に示すように、記憶部５に記憶されるプリンタドライバのウィザード画面に関するアプリケーション２１がＲＡＭ６上に読み込まれ、その後、ＵＩ表示装置１上で実行されるアプリケーションを制御するＯＳ２２にウィザード画面に関するアプリケーションが登録されて、ＯＳ２２によって表示部２にプリンタドライバのウィザード画面（特許請求の範囲の請求項１の第１の表示制御手段により表示される選択画面に相当）が表示される。  ウィザード画面に関するアプリケーション２１は、記憶部５内のプリンタドライバのプリンタドライバのＵＩ表示プログラム１０内に記憶される。
【００４１】
表示部２に表示されるプリンタドライバのウィザード画面は、図３（ｂ）に示すように、ユーザに学年を尋ねる対話形式の画面となっている。
【００４２】
図３（ｂ）に示すプリンタドライバのウィザード画面では、「なんねんせいですか？」との質問文章と返答の為の選択ボックスとが表示される。  ユーザは、ウィザード画面上の選択ボックスから自らの学年を選択する。
【００４３】
次に、ユーザの学年が選択された後のＵＩ表示装置１内の情報処理について、図４、図５を参照して説明する。
【００４４】
図４は、ＵＩ表示装置１内での情報処理について示した模式図である。
【００４５】
ユーザがウィザード画面上の選択ボックスから自らの学年を選択すると、その後、選択された学年専用のタブ画面がＯＳ２２によって表示部２に表示されるように処理が行われる。
【００４６】
タブ選択モジュール１３が、記憶部５に記憶されるタブ画面の中から、ユーザの学年専用のタブ画面を選択し、そして、選択されたタブ画面がＲＡＭ６上のＯＳ２２に登録される。
【００４７】
そして、ＯＳ２２上に登録されたタブ画面（図５（ａ）参照）によって構成されるプリンタドライバのＵＩ画面が表示部２に表示される。
【００４８】
表示部２に表示されるユーザの学年専用のプリンタドライバのＵＩ画面（特許請求の範囲の請求項１の第２の表示制御手段によって表示される操作画面に相当）は、図５（ｂ）に示すように、ウィザード画面で選択されたユーザの学年専用のＵＩ画面となる。
【００４９】
次に、ＵＩ表示装置１の補助記憶装置である記憶部５に記憶されて、タブ記憶部１４に記憶される、ユーザのＩＴ能力に対応するＵＩ画面を構成するタブ画面について図６を参照して説明する。
【００５０】
図６は、各学年毎のＵＩ画面を構成するための構成要素となるタブ画面を記憶する記憶部５を示した模式図である。
【００５１】
図６に示すように、記憶部５には、各学年のＵＩ画面の構成要素となるタブ画面が記憶される。
【００５２】
学年が１年生専用のＵＩ画面の構成要素であるレベル１のタブ１の内容は、図６の参照番号３０で示すように、１年生専用のＵＩ画面を構成する内容となっていて、画面内容を説明する用語は１年生に理解できるようにひらがなが使用される。そして、記憶部５に記憶されるレベル１のタブ画面によって構成される１年生専用のＵＩ画面には、１年生がプリンタの設定を行う上での必要最小限の設定内容が表示される。
【００５３】
また、学年が６年生専用のＵＩ画面の構成要素であるレベル６のタブ１は、図６の参照番号３１で示すように、６年生専用のＵＩ画面を構成する内容となっている。
【００５４】
例えば、学年が１年生専用のＵＩ画面は、３枚のタブ画面である、レベル１のタブ１、レベル１のタブ２、レベル１のタブ３により構成されるが、それぞれのタブ画面が記憶部５に記憶される（参照番号３２）。
【００５５】
このように、各学年のＵＩ画面の構成要素となるタブ画面が、記憶部５に記憶される。
【００５６】
次に、プリンタドライバのＵＩ画面が表示部２に表示される処理について図７を参照して説明を行う。
【００５７】
図７は、プリンタドライバのＵＩ画面が表示部２に表示される処理について示したフローチャートである。
【００５８】
図７に示すように、まず、ユーザが文書データの印刷を所望して、文書データの印刷を指示すると、「通常ＵＩ画面」或いは「お勧めＵＩ画面」のどちらかをユーザに選択させる表示指示画面８０が表示部２に表示される（ステップ１０１）。
【００５９】
表示指示画面８０は、図８（ａ）に示すように、「通常ＵＩ画面」と「お勧めＵＩ画面」のどちらかを選択できるような画面構成である。
【００６０】
表示部２に表示された表示指示画面８０より「通常ＵＩ画面」が選択された場合には（ステップ１０２でＮＯ）、通常ＵＩ表示モジュール１７によって図８（ｂ）に示す「通常ＵＩ画面」が表示部２に表示される（ステップ１０３）。
【００６１】
また、表示部２に表示された表示指示画面８０より「お勧めＵＩ画面」が選択された場合には（ステップ１０２でＹＥＳ）、記憶部５に記憶されるプリンタドライバのプログラムの中から、プリンタドライバのウィザード画面のアプリケーション２１がＲＡＭ６上に読み込まれて（ステップ１０４）、ＲＡＭ６上のＯＳによりプリンタドライバのウィザード画面が表示部２に表示される（ステップ１０５）。
【００６２】
そして、表示部２に表示されたウィザード画面よりユーザによって選択されたユーザの学年が、操作受付モジュール１５により受け付けられる（ステップ１０６）。
【００６３】
ユーザの学年が受け付けられると、タブ選択モジュール１３が、受け付けた学年専用のＵＩ画面を構成するタブ画面をタブ記憶部１４から選択し、ＲＡＭ６上で動作するＯＳに、選択されたタブ画面が登録される（ステップ１０７）。
【００６４】
そして、ＯＳによって、受け付けた学年専用のＵＩ画面が表示部２に表示される（ステップ１０８）。
【００６５】
このように、プリンタドライバのＵＩプログラム１００は、「お勧めＵＩ画面」が選択された場合には、まずウィザード画面をＯＳに登録させて表示させ、ユーザの学年を受け付け、そして次に、受け付けたユーザの学年に対応するプリンタドライバのＵＩ画面をＯＳによって表示させる。
【００６６】
なお、ウィザード画面で把握されるユーザのＩＴ能力の情報は、ユーザの学年ではなくユーザのＩＴ能力を直接的に判断する数値等（文字の理解度を表す数値、用語の理解度を表す数値など）の情報であってもよく、その場合には、タブ記憶部１４には各ユーザのＩＴ能力の数値に対応したタブ画面が記憶される。
【００６７】
なお、ＲＡＭ６上の負担を減らす為に、ＵＩ表示装置１で行われる処理について、図７を参照して説明した各ステップにおいて、必要なモジュールだけがＲＡＭ６上に存在するように構成してもよい。  例えば、ステップ１０１においては、ＵＩ表示モジュール１１と操作受付モジュール１５と表示指示画面表示モジュール１８とがＲＡＭ６上に読み込まれるように構成してもよい。  その際には、さらにステップ１０２で「通常ＵＩ画面」が選択された場合には（ステップ１０２でＮＯ）、ＲＡＭ６上にＵＩ表示モジュール１１、操作受付モジュール１５、ジョブ作成モジュール１６、通常ＵＩ表示モジュール１７が存在するように読み込みやモジュールの削除が行われる。  また、ステップ１０２で「お勧めＵＩ画面」が選択された場合には（ステップ１０２でＹＥＳ）、ＲＡＭ６上にＵＩ表示モジュール１１、ウィザードモジュール１２、操作受付モジュール１５が存在するように読み込みやモジュールの削除が行われ、ステップ１０６でタブ選択モジュール１３が更に読み込まれ、ステップ１０７でウィザードモジュールがＲＡＭ６上から削除され、ステップ１０８でＲＡＭ６上にＵＩ表示モジュール１１、操作受付モジュール１５、ジョブ作成モジュール１６が存在するようにモジュールの読み込みと削除とが行われるように構成してもよい。
【００６８】
なお、プリンタドライバのＵＩ表示プログラム１０から通常ＵＩ表示モジュール１７、表示指示画面表示モジュール１８を削除して、プリンタドライバのＵＩ表示プログラム１０によっては「お勧めＵＩ画面」だけが表示されて「通常ＵＩ画面」は表示されないように構成してもよい。
【産業上の利用可能性】
【００６９】
この発明は、情報処理装置および表示制御装置および表示制御プログラムにおいて利用可能である。
【００７０】
また、上記実施の形態の機能を実現するためのアプリケーションのプログラムが記録されている記録媒体を供給し、通信装置などで記録媒体に格納されたプログラムを読み出し実行することによっても、上記実施の形態と同様の効果を奏する。  プログラムを供給するための記憶媒体としては、例えば、ＣＤ−ＲＯＭ(Compact Disk Read Only Memory)、ＤＶＤ(Digital Versatile Disk)、及びＳＤカード(Secure Digital memory card)などや、プログラムを供給するサーバなどであっても良い。
【図面の簡単な説明】
【００７１】
【図１】ＵＩ表示装置１の構成を示したブロック図。
【図２】プリンタドライバのＵＩプログラム１０の構成を示した模式図。
【図３】プリンタドライバのウィザード画面が表示される様子について示した模式図。
【図４】学年専用のＵＩ画面を構成するタブ画面がＯＳに登録される処理を示した模式図。
【図５】学年専用のＵＩ画面が表示される様子を示した模式図。
【図６】記憶部５に記憶される各学年のＵＩ画面を構成するタブ画面について示す模式図。
【図７】ＵＩ画面が表示部２に表示される処理を示したフローチャート。
【図８】表示指示画面８０と「通常ＵＩ画面」との画面構成図。
【図９】従来のプリンタドライバのＵＩ画面が表示される処理を示した模式図。
【符号の説明】
【００７２】
１    ＵＩ表示装置
２    表示部
３    操作部
４    制御部
５    記憶部
６    ＲＡＭ
１０    プリンタドライバのＵＩ表示プログラム
１１    ＵＩ表示モジュール
１２    ウィザードモジュール
１３    タブ選択モジュール
１４    タブ記憶部
１５    操作受付モジュール
１６    ジョブ作成モジュール
１７    通常ＵＩ表示モジュール
１８    表示指示画面表示モジュール
８０    表示指示画面
【図１】
2008276601.tif 000003
【図２】
2008276601.tif 000004
【図３】
2008276601.tif 000005
【図４】
2008276601.tif 000006
【図５】
2008276601.tif 000007
【図６】
2008276601.tif 000008
【図７】
2008276601.tif 000009
【図８】
2008276601.tif 000010
【図９】
2008276601.tif 000011